(57)【特許請求の範囲】
【請求項１】
携帯型コンテンツ受信装置とコンテンツ録画再生装置からなるコンテンツ再生システムにおいて、
前記携帯型コンテンツ受信装置は、
受信中のコンテンツの視聴をユーザが中断した時に、視聴を中断した前記コンテンツに対応する視聴を引き継ぐべきコンテンツを特定するための情報と前記コンテンツの視聴中断ポイントに対応する視聴引継ポイントを特定するための情報を含むコンテンツ引継再生情報を設定するコンテンツ引継再生情報設定部と、
前記コンテンツ引継再生情報設定部が設定した前記コンテンツ引継再生情報を記録するコンテンツ引継情報記憶部と、
ユーザが視聴を引継再生しようとする時に、前記コンテンツ引継情報記憶部に記録された前記コンテンツ引継再生情報を読み出して、前記コンテンツ録画再生装置に対して、コンテンツ引継再生指示情報として送信する送信部とを有し、
前記コンテンツ引継再生情報を、インターネットを介して前記コンテンツ録画再生装置のモデル別のコマンド一覧配信サーバから取得され、引継ぎ視聴をする前記コンテンツ録画再生装置の前記モデル別のコマンド一覧から選択された前記コンテンツ録画再生装置のモデルに合致するような前記コンテンツ引継再生指示情報に変換して、前記コンテンツ録画再生装置に対して送信することで、録画されている前記コンテンツを視聴中断箇所に対応する箇所から引き継いで再生させ、
前記コンテンツ録画再生装置は、
前記コンテンツ引継再生指示情報を受信する受信部と、
受信した前記コンテンツ引継再生指示情報に基づいて、録画済みコンテンツの中から引継再生すべきコンテンツを検索するコンテンツ検索部と、
前記引継再生すべきコンテンツが検索できた場合は、前記視聴引継ポイントを特定して、前記視聴引継ポイントから前記引継再生すべきコンテンツを再生するコンテンツ再生部と
を有することを特徴とするコンテンツ視聴引継再生システム。
【請求項２】
受信中のコンテンツの視聴をユーザが中断した時に、視聴を中断した前記コンテンツに対応する視聴を引き継ぐべきコンテンツを特定するための情報と前記コンテンツの視聴中断ポイントに対応する視聴引継ポイントを特定するための情報を含むコンテンツ引継再生情報を設定するコンテンツ引継再生情報設定部と、
前記コンテンツ引継再生情報設定部が設定した前記コンテンツ引継再生情報を記録するコンテンツ引継情報記憶部と、
ユーザが視聴を引継再生しようとする時に、前記コンテンツ引継情報記憶部に記録された前記コンテンツ引継再生情報を読み出して、引継再生をさせるコンテンツ録画再生装置に対して、コンテンツ引継再生指示情報として送信する送信部とを有し、
前記コンテンツ引継再生情報を、インターネットを介して前記コンテンツ録画再生装置のモデル別のコマンド一覧配信サーバから取得され、引継ぎ視聴をする前記コンテンツ録画再生装置の前記モデル別のコマンド一覧から選択された前記コンテンツ録画再生装置のモデルに合致するような前記コンテンツ引継再生指示情報に変換して、前記コンテンツ録画再生装置に対して送信することで、録画されている前記コンテンツを視聴中断箇所に対応する箇所から引き継いで再生させることを特徴とする携帯型コンテンツ受信装置。
【請求項３】
前記送信部が送信するコンテンツ引継再生指示情報は、視聴を中断した前記コンテンツを受信した地域で受信するコンテンツを示す情報を、前記引継再生をさせるコンテンツ録画再生装置の設置場所で受信するコンテンツを示す情報に変換されたコンテンツ引継再生指示情報であることを特徴とする請求項２に記載の携帯型コンテンツ受信装置。
【請求項４】
前記送信部が送信するコンテンツ引継再生指示情報は、前記引継再生をさせるコンテンツ録画再生装置の再生コマンドに対応するように変換されたコンテンツ引継再生指示情報であることを特徴とする請求項２に記載の携帯型コンテンツ受信装置。
【請求項５】
視聴中断を意味する信号が入力された時に、受信していた番組のチャンネル情報と、前記信号が入力をされた日時情報と、前記チャンネルを受信した地域を示す地域識別情報とを取得し、視聴引継情報として記憶部に記憶し、
前記視聴引継情報を、インターネットを介して録画再生装置のモデル別のコマンド一覧配信サーバから取得され、引継ぎ視聴をする前記録画再生装置の前記モデル別のコマンド一覧から選択された録画再生装置のモデルに合致するような視聴引継再生指示情報に変換して、前記録画再生装置に対して送信することで、録画されている前記番組を視聴中断箇所に対応する箇所から引き継いで再生させることを特徴とする携帯型受信装置。
【請求項６】
視聴中断を示す信号が入力される毎に、受信していた番組のチャンネルを示すチャンネル識別情報と前記信号が入力された日時情報を取得し、前記チャンネル識別情報と前記日時情報の各々を対応づけて視聴引継情報として記憶部に記憶し、
前記視聴引継情報を、インターネットを介して録画再生装置のモデル別のコマンド一覧配信サーバから取得され、引継ぎ視聴をする前記録画再生装置の前記モデル別のコマンド一覧から選択された録画再生装置のモデルに合致するような視聴引継再生指示情報に変換して、前記録画再生装置に対して送信することで、録画されている前記番組を視聴中断箇所に対応する箇所から引き継いで再生させることを特徴とする携帯型受信装置。
【請求項７】
コンテンツ録画再生装置において、
携帯型コンテンツ受信装置で受信中のコンテンツの視聴をユーザが中断した時に、前記携帯型コンテンツ受信装置で設定された視聴を中断した前記コンテンツに対応する視聴を引き継ぐべきコンテンツを特定するための情報と前記コンテンツの視聴中断ポイントに対応する視聴引継ポイントを特定するための情報を含むコンテンツ引継再生情報を、インターネットを介して前記コンテンツ録画再生装置のモデル別のコマンド一覧配信サーバから取得され、引継ぎ視聴をする前記コンテンツ録画再生装置の前記モデル別のコマンド一覧から選択された前記コンテンツ録画再生装置のモデルに合致するように変換されたコンテンツ引継再生指示情報として前記携帯型コンテンツ受信装置から受信する受信部と、
受信した前記コンテンツ引継再生情報を前記録画再生装置の設置場所で受信するコンテンツを示す情報に変換し、変換された前記コンテンツ引継再生情報に基づいて、録画済みコンテンツの中から引継再生すべきコンテンツを検索するコンテンツ検索部と、
前記引継再生すべきコンテンツが検索できた場合は、前記視聴引継ポイントを特定して、前記視聴引継ポイントから前記引継再生すべきコンテンツを再生するコンテンツ再生部と
を有することを特徴とするコンテンツ録画再生装置。
【請求項８】
携帯型コンテンツ受信装置における視聴中断コンテンツを、前記携帯型コンテンツ受信装置とは異なるコンテンツ録画再生装置において引継視聴をするための前記携帯型コンテンツ受信装置による引継再生情報送信方法であって、
コンテンツ引継再生情報設定部が、ユーザが視聴中の受信コンテンツの視聴を中断した時に、視聴を中断した前記コンテンツに対応する視聴を引き継ぐべきコンテンツを特定するための情報と前記コンテンツの視聴中断ポイントに対応する視聴引継ポイントを特定するための情報を含むコンテンツ引継再生情報を設定する設定ステップと、
コンテンツ引継情報記憶部が、前記コンテンツ引継再生情報設定部が設定した前記コンテンツ引継再生情報を記録する記録ステップと、
再生指示情報変換部が、前記コンテンツ引継再生情報を、インターネットを介して前記コンテンツ録画再生装置のモデル別のコマンド一覧配信サーバから取得され、引継ぎ視聴をする前記コンテンツ録画再生装置の前記モデル別のコマンド一覧から選択された前記コンテンツ録画再生装置のモデルに合致するようなコンテンツ引継再生指示情報に変換するステップと、
送信部が、ユーザが視聴を引継再生しようとする時に、前記コンテンツ引継情報記憶部に記録された前記コンテンツ引継再生情報を読み出して、引継再生をさせるコンテンツ録画再生装置に対して、コンテンツ引継再生指示情報として送信する送信ステップと、
を有することを特徴とするコンテンツ引継再生情報送信方法。
【請求項９】
携帯型コンテンツ受信装置における視聴中断コンテンツを、前記携帯型コンテンツ受信装置とは異なるコンテンツ録画再生装置において引継視聴をするためのコンテンツ引継再生指示情報を前記コンテンツ録画再生装置に対して送信することを、前記携帯型コンテンツ受信装置に実行させるためのプログラムであって、
コンテンツ引継再生情報設定部が、ユーザが視聴中の受信コンテンツの視聴を中断した時に、視聴を中断した前記コンテンツに対応する視聴を引き継ぐべきコンテンツを特定するための情報と前記コンテンツの視聴中断ポイントに対応する視聴引継ポイントを特定するための情報を含むコンテンツ引継再生情報を設定する設定ステップと、
コンテンツ引継情報記憶部が、前記コンテンツ引継再生情報設定部が設定した前記コンテンツ引継再生情報を記録する記録ステップと、
再生指示情報変換部が、前記コンテンツ引継再生情報を、インターネットを介して前記コンテンツ録画再生装置のモデル別のコマンド一覧配信サーバから取得され、引継ぎ視聴をする前記コンテンツ録画再生装置の前記モデル別のコマンド一覧から選択された録画再生装置のモデルに合致するような視聴引継再生指示情報に変換するステップと、
送信部が、ユーザが視聴を引継再生しようとする時に、前記コンテンツ引継情報記憶部に記録された前記コンテンツ引継再生情報を読み出して、引継再生をさせるコンテンツ録画再生装置に対して、コンテンツ引継再生指示情報として送信する送信ステップと、
を実行させることを特徴とするプログラム。
【発明の詳細な説明】
【技術分野】
【０００１】
本発明は、テレビ受信装置と録画再生装置の視聴連携システムに関し、特には、テレビ受信装置での視聴を中断した場合に、同じ番組を録画済の別の録画再生装置でその中断ポイントから引継ぎ視聴をする際の中断ポイントを簡単に録画再生装置に受け渡すことを可能にするテレビ受信装置に関する。
【背景技術】
【０００２】
デジタル放送のひとつであるワンセグ放送は、移動体での視聴に適しており、ワンセグ放送受信機能内蔵携帯電話は幅広く販売されている。携帯電話は通信会社が提供する通信回線を介し、インターネットへの接続が可能となっている。また、携帯電話の一部モデルはＢｌｕｅｔｏｏｔｈが搭載され同機能を有する他機器間とで近距離の通信ができるようにもなってきている。また、同じように近距離での簡易通信を可能にする赤外線送信部や受信部を有す携帯型電話も市場投入されており、これらの中には、他機器を遠隔制御するリモートコントローラの機能を有すものもある。
【０００３】
一方、録画再生装置はテープ録画再生機からＤＶＤとハードディスクを組み合わせ利用する録画再生装置に移行し、ランダムアクセス性が著しく向上した。また、ハードディスクに代表される記録メディアの記憶容量の増大、デジタル圧縮技術の進展、複数チューナの搭載と相まって、多時間のテレビ番組の記録保存が可能になっている。予めユーザの視聴パターンを考慮し、ユーザが番組ごとに留守録の設定をせずとも、ユーザが視聴する可能性の高い複数の番組を適宜留守録する録画装置も市場に登場している。ユーザは、録画済の番組から再生を希望する番組に対して再生指示をするだけでよく、留守録忘れや留守録の煩わしさを回避することが可能になる。複数のテレビチューナと大容量ハードディスクを搭載したパーソナルコンピュータが、こういった留守録の手間を軽減する録画再生装置として機能するケースも多い。
【０００４】
前述のような技術の進展がある中で、携帯型テレビ受信機で外出中に視聴していた番組を、視聴中断した時に、その中断ポイントから帰宅時に留守録設定されている録画再生装置から引き継いで視聴したいという希望がある。このような装置およびシステムが、特許文献１に記載されている。特許文献１に記載の技術では、携帯端末からネットワークを介し、録画再生装置に一旦録画したコンテンツの送信を要求し、携帯端末は受信したコンテンツを表示する。そして、携帯端末の制御状態とコンテンツ通信状態を送信元の装置に通知することで、携帯端末の通信エラーによる視聴中断等を記憶し、その情報を基に中断ポイントからの録画再生装置での再生開始を簡易化することが可能になる。
【０００５】
【特許文献１】特開２００５−１７５７１５号公報
【発明の開示】
【発明が解決しようとする課題】
【０００６】
携帯端末により外出先などで視聴していたコンテンツの視聴を中断した時に、自宅の録画再生装置において、簡単な操作でその中断ポイントから視聴を引き継ぐことを可能とさせる技術はユーザに、大変期待されている技術である。
【０００７】
このような技術により、ユーザは携帯端末での放送波受信状況の悪化から止む無く視聴を断念する時や、外出中の待ち時間にテレビ番組を視聴していて、待ち人が表れて視聴を中断するなどした時に、帰宅時に録画再生装置に格納された録画済コンテンツから中断した番組と中断ポイントを簡単な操作で確定し、引継ぎ視聴できることになり、操作の煩雑さを回避できるばかりか時間の有効活用も可能となる。
【０００８】
しかし、このような技術を利用するにあたり、懸念される問題点がいくつかある。特許文献１に記載の技術では、その操作簡易化の便益を受けられるコンテンツは、録画再生装置で予め録画されたコンテンツであって携帯端末から録画再生装置に送信要求を行い、携帯端末が録画再生装置から受信したコンテンツに限定される。また、外出先でのコンテンツ視聴中の際は、録画再生装置と携帯端末はネットワークを介し接続状態であり、録画再生装置も稼動状態とする必要がある。そのため、利用範囲が狭まり、視聴時の録画再生装置と携帯端末との通信費用等もかかり、実用性に著しく欠けることになる。
【０００９】
本発明は、このような点に鑑みてなされたものであり、録画装置からのコンテンツ配信を受けずとも、携帯端末型コンテンツ視聴装置において、ライブ視聴中に視聴中断したコンテンツを、異なる機器である同コンテンツを録画済の録画再生装置でその続きから引き継いで視聴をするための操作を安易にあるいは操作ステップを軽減することが可能な携帯型コンテンツ視聴装置を提供することを目的とする。
【課題を解決するための手段】
【００１０】
本発明のコンテンツ視聴引継再生システムは、受信中のコンテンツの視聴をユーザが中断した時に、視聴を中断した前記コンテンツに対応する視聴を引き継ぐべきコンテンツを特定するための情報と前記コンテンツの視聴中断ポイントに対応する視聴引継ポイントを特定するための情報を含むコンテンツ引継再生情報を設定するコンテンツ引継再生情報設定部と、前記コンテンツ引継再生情報設定部が設定した前記コンテンツ引継再生情報を記録するコンテンツ引継情報記憶部と、ユーザが視聴を引継再生しようとする時に、前記コンテンツ引継情報記憶部に記録された前記コンテンツ引継再生情報を読み出して、前記コンテンツ録画再生装置に対して、コンテンツ引継再生指示情報として送信する送信部と、を有し、前記コンテンツ引継再生情報を、インターネットを介して前記コンテンツ録画再生装置のモデル別のコマンド一覧配信サーバから取得され、引継ぎ視聴をする前記コンテンツ録画再生装置の前記モデル別のコマンド一覧から選択された前記コンテンツ録画再生装置のモデルに合致するような前記コンテンツ引継再生指示情報に変換して、前記コンテンツ録画再生装置に対して送信することで、録画されている前記コンテンツを視聴中断箇所に対応する箇所から引き継いで再生させる携帯型コンテンツ受信装置と、前記コンテンツ引継再生指示情報を受信する受信部と、受信した前記コンテンツ引継再生指示情報に基づいて、録画済みコンテンツの中から引継再生すべきコンテンツを検索するコンテンツ検索部と、前記引継再生すべきコンテンツが検索できた場合は、前記視聴引継ポイントを特定して、前記視聴引継ポイントから前記引継再生すべきコンテンツを再生するコンテンツ再生部とを有する前記コンテンツ録画再生装置からなることを特徴とする。
【００１１】
本発明のコンテンツ引継再生情報送信方法は、携帯型コンテンツ受信装置における視聴中断コンテンツを、前記携帯型コンテンツ受信装置とは異なるコンテンツ録画再生装置において引継視聴をするための前記携帯型コンテンツ受信装置による情報送信方法であって、コンテンツ引継再生情報設定部が、ユーザが視聴中の受信コンテンツの視聴を中断した時に、視聴を中断した前記コンテンツに対応する視聴を引き継ぐべきコンテンツを特定するための情報と前記コンテンツの視聴中断ポイントに対応する視聴引継ポイントを特定するための情報を含むコンテンツ引継再生情報を設定する設定ステップと、コンテンツ引継情報記憶部が、前記コンテンツ引継再生情報設定部が設定した前記コンテンツ引継再生情報を記録する記録ステップと、再生指示情報変換部が、前記コンテンツ引継再生情報を、インターネットを介して前記コンテンツ録画再生装置のモデル別のコマンド一覧配信サーバから取得され、引継ぎ視聴をする前記コンテンツ録画再生装置の前記モデル別のコマンド一覧から選択された前記コンテンツ録画再生装置のモデルに合致するようなコンテンツ引継再生指示情報に変換するステップと、送信部が、ユーザが視聴を引継再生しようとする時に、前記コンテンツ引継情報記憶部に記録された前記コンテンツ引継再生情報を読み出して、引継再生をさせるコンテンツ録画再生装置に対して、コンテンツ引継再生指示情報として送信する送信ステップと、を有することを特徴とする。
【発明の効果】
【００１２】
本発明によれば、携帯端末の送信機能を用いて、録画再生装置に視聴を中断したコンテンツの識別情報やその視聴中断のポイント情報を、引継ぎ再生させる録画再生装置に最適化した情報に加工して通知できるので、ユーザの煩わしい操作の回避と操作ストレスの軽減を可能とする。
【発明を実施するための最良の形態】
【００１３】
以下、図面を参照して、本発明の実施例を詳細に説明する。図１は、本発明の実施例の概略説明図である。本発明の主体は携帯型コンテンツ受信装置１とコンテンツ録画再生装置２であるが、発明の理解を促進するために、図１で本発明に関連するシステム全体を説明する。システムを実現するためには、主として携帯型コンテンツ受信装置１、コンテンツ録画再生装置２、それぞれの装置からネットワークを介して接続可能なサーバ３、携帯型コンテンツ受信装置１がコンテンツ送信局から受信するコンテンツ、およびコンテンツ録画再生装置２が前記コンテンツ送信局とは異なる送信局から受信し録画したコンテンツが必要である。
【００１４】
携帯型コンテンツ受信装置１は例えばワンセグ放送受信機能付携帯電話であり、ワンセグ放送送信局５からワンセグ放送を受信しディスプレイへの表示が可能であり、携帯電話基地局４を介してインターネット接続されて、サーバ３と通信可能である。サーバ３には、録画再生ポイントの頭だし指示が可能なリモコンコマンド信号を有する録画再生装置のモデル名とそのモデル名に対応するリモコンコマンド信号の情報が格納されていて、携帯型コンテンツ受信装置１によって選択され送信要求を受けたリモコンコマンド信号の情報を携帯型コンテンツ受信装置１に送信する。また、サーバ３には、放送地域毎に異なる放送チャンネルの対応関係を示す情報（図７に例示）が格納されていても良い。
【００１５】
また、携帯型コンテンツ受信装置１は、例えば赤外線送信部１１を有し、コンテンツ録画再生装置２の赤外線受信部２１にコンテンツ録画再生装置２に録画済のコンテンツの再生指示をするためのデータを送信することが可能である。
【００１６】
ここでは、コンテンツ録画再生装置２はユーザが視聴する可能性のあるコンテンツを自動留守録する機能を有していることを想定しており、携帯型コンテンツ受信装置１で視聴される番組の多くは予めコンテンツ録画再生装置２において留守録されている前提に立っているが、これに限定されることなく、ユーザ自身によって事前に留守録設定をする装置でも良いし、携帯電話などを用いて遠隔からの留守録指示を受け付ける機能を有している装置でも良い。また、コンテンツ録画再生装置２は、チューナとテレビ番組録画再生ソフトウェアを搭載したパーソナルコンピュータで構成されていても良い。
【００１７】
次に図２の構成図を用いて本発明の携帯型コンテンツ受信装置とコンテンツ録画再生装置からなるコンテンツ視聴引継再生システムの構成を説明する。本システムは携帯型コンテンツ受信装置１とコンテンツ録画再生装置２からなる。
【００１８】
携帯型コンテンツ受信装置１はワンセグ放送を受信する放送受信部１０３、映像処理部１０６、表示部１０９を有する。さらに、携帯型コンテンツ受信装置１は、視聴中断した番組を後にコンテンツ録画再生装置２において引き継ぎ視聴するための情報を設定するための番組引継情報設定部１０２と、番組引継情報設定部１０２で設定した情報に基づく視聴番組引継再生情報を記憶する視聴番組引継再生情報記憶部１０８と、視聴番組引継再生情報を番組引継再生指示情報に変換する再生指示情報変換部１０５と、再生指示情報変換部１０５が視聴番組引継再生情報を番組引継再生指示情報に変換する際に用いる情報を記憶する再生指示変換情報記憶部１０７と、コンテンツ録画再生装置２やインターネットや通信回線を介して他の機器とデータを送受信する送受信部１０１と、これら各部を制御する制御部１０４を有している。ここで、制御部１０４、番組引継情報設定部１０２、再生指示情報変換部１０５は、不図示の記録媒体に格納されたプログラムを読み込んで実行することで論理的に備えられる機能部分としても良い。
【００１９】
コンテンツ録画再生装置２は、デジタル地上波を受信する放送受信部２０３と、表示装置に表示する映像を制御部２０４から指示を受けてデコードあるいは再生処理する映像処理部２０６と、録画指定された番組を記録する録画番組記憶部２０７を有する。さらに、コンテンツ録画再生装置２は、録画番組情報記憶部２０８と、入力部２０２と、携帯型コンテンツ受信装置１やインターネットや通信回線を介して他の機器とデータを送受信する送受信部２０１と、携帯型コンテンツ受信装置１から受信した番組引継再生指示情報に基づいて引き継ぎ再生すべき番組を録画番組記憶部から検索する番組比較検索部２０５と、これら各部を制御する制御部２０４を有している。ここで制御部２０４、番組比較検索部２０５は、不図示の記録媒体に格納されたプログラムを読み込んで実行することで論理的に備えられる機能部分としても良い。
【００２０】
次に図３を参照して、本実施の形態の動作について説明する。図３は携帯型コンテンツ受信装置１の番組引継情報設定動作を説明するためのフローチャートである。図３を参照すると、携帯型コンテンツ受信装置１で視聴が開始されると、番組引継情報設定部１０２は引継情報設定予約モードか否かを確認し、番組引継再生情報の設定指示信号の入力有無を確認する（ステップＳ１）。詳細には、引継情報設定予約モード設定は不図示の入力部によりユーザが設定する。例えば、このモードに入っていれば、ユーザがチャンネルを切替えたり、電源ＯＦＦボタンを押したりした時に、視聴中の番組が視聴中断されたと装置が判断し、制御部１０４より番組引継情報設定部１０２に番組引継再生情報を設定するように指示される。また、このモードに入っていれば、不図示の放送受信感度監視部が、受信感度が所定レベル以下になったと判断した場合、視聴が困難で視聴中断に至ったと見なし、制御部１０４より番組引継情報設定部１０２に番組引継再生情報を設定するように指示されるようにしても良い。あるいは、このモード設定が無くとも、携帯型コンテンツ受信装置１に番組引継情報入力ボタンを設け、これをユーザが押すことで視聴を中断したと見なして、番組引継情報設定部１０２は番組引継再生情報を設定するように指示を受けても良い。
【００２１】
番組引継情報設定部１０２は、番組引継再生情報を設定せよと指示信号を受けると、その時の視聴番組の放送チャンネルとその日時情報とを制御部１０４を介して取得し、視聴番組引継再生情報記憶部１０８にチャンネル情報と日時情報を対応づけて記憶する（ステップＳ２）。詳細には、視聴番組引継再生情報記憶部１０８に記憶する際に取得した情報をそのまま記憶しても良いし、視聴を引き継ぐべきコンテンツ録画再生装置２での引継再生にさらに適応するように、取得した情報を加工後に、記憶しても良い。
【００２２】
番組視聴が終了するまで、番組引継情報設定部１０２は設定待機状態を維持し、コンテンツ視聴終了により設定待機状態が解除される（ステップＳ３）。
【００２３】
次に図４を参照して、携帯型コンテンツ受信装置１のコンテンツ引継再生指示動作を説明する。送受信部１０１は制御部１０４を介して番組引継情報が視聴番組引継再生情報記憶部１０８に記憶されているかどうかを確認する（ステップＴ１）。番組引継情報が記憶されていなければ、制御部１０４は、映像処理部１０６を介して表示部１０９に番組引継情報が無いことを表示し、ユーザに通知する（ステップＴ１-１）。番組引継情報が記憶されていれば、送受信部１０１は制御部１０４を介して番組引継情報を読み出す（ステップＴ２）。詳細には、番組引継情報が複数ある場合は、ユーザが不図示の入力ボタンなどを用いて引継再生したい番組情報を選択できるように表示部１０９に表示させ、ユーザに選択させる。次いで、送受信部１０１は制御部１０４を介して再生指示変換情報記憶部１０７に記憶されている再生指示変換情報を読み出す（ステップＴ３）。再生指示情報変換部１０５は番組引継情報を再生指示変換情報に基づいて番組引継再生指示情報に変換する（ステップＴ４）。ステップＴ４については、図６、図７を参照して例示の上、詳細を後述する。そして、送受信部１０１はコンテンツ録画再生装置２に番組引継再生指示情報を送信する（ステップＴ５）。
【００２４】
ここでは、再生指示情報変換部１０５が番組引継情報を視聴番組引継再生情報記憶部１０８から読み出して、再生指示変換情報に基づいて番組引継再生指示情報に変換した上で、送受信部１０１が送信をする順番で説明しているが、番組引継情報設定部１０２が取得した情報を再生指示情報変換部１０５が再生指示変換情報に基づいて番組引継再生指示情報に変換後、番組引継再生情報記憶部１０８に記憶しておいても良い。この場合は、送受信部１０１は番組引継再生情報記憶部１０８から読み出した番組引継再生指示情報を送信することになる。
【００２５】
次に図５を参照して、コンテンツ録画再生装置２のコンテンツ引継再生動作を説明する。番組比較検索部２０５は、送受信部２０１を介して受信した番組引継再生指示情報と録画コンテンツ情報記憶部２０８の情報を照合し、番組引継再生指示情報に対応する番組が録画番組記憶部２０７に記録されているかを確認する（ステップＲ１）。詳細には、録画コンテンツ情報記憶部２０８の情報の一例は図８に示された録画再生装置により録画された番組一覧情報である。番組比較検索部２０５は、この一覧情報と番組引継再生指示情報を照合する。
【００２６】
番組引継再生指示情報に対応する番組が記録されていなければ、制御部２０４は、映像処理部２０６を介して表示装置に、引き継ぎ再生すべき番組が記録されていないことを示す映像を出力する（ステップＲ１-１）。番組引継再生指示情報に対応する番組が記録されていれば、制御部２０４は、番組引継再生指示情報にある番組引継ポイントを示す情報をコンテンツ録画再生装置２に対応するブックマーク情報に変換する（ステップＲ２）。
【００２７】
制御部２０４は、ブックマーク情報を表示装置に表示するよう映像処理部２０６に指示する（ステップＲ３）。詳細には、引継再生すべき番組に対して複数の番組引継ポイントがあり、変換された複数のブックマーク情報がある場合は、それらに対応する引継ポイントを明示できるように一覧表示する。次いで、入力部２０２によりユーザが所望する引継ポイントが選択され、制御部２０４が引継ポイントに対応したブックマーク情報を受け付ける（ステップＲ４）。そして、制御部２０４は、ブックマーク情報を受け付けると、録画番組記憶部２０７に記録されている引継視聴すべき番組を指定し、ブックマーク情報に基づいて引継視聴すべきポイントから再生するように映像処理部２０６に指示し、映像処理部２０６は表示装置に再生映像を出力する（ステップＲ５）。
【００２８】
次に図６と図７を参照して、ステップＴ４の詳細を説明する。図６は、視聴番組引継情報記憶部１０８に記録されたデータで、ワンセグ放送を受信し、視聴を中断した時間とその時の視聴していた番組、チャンネルなどを示している。携帯型コンテンツ受信装置１を携帯していたユーザは、ここでは東京と札幌で受信した二つの番組を視聴中断したことが分かる。ここで、リモコンＩＤとは、デジタル地上波放送において割り振られたチャンネル番号であり、予め放送事業者間で決められている。リモコンＩＤは、受信機が自身のリモコンのワンタッチボタンのどの番号にどの放送局を割り付けるかをその地域の放送局が電波を使って受信機に知らせる仕組で運営されている。デジタル地上波放送では周波数帯を意味する物理チャンネル番号がＵＨＦ帯となり二桁番号となるので、従来のアナログ放送と同様に１〜１２の番号でダイレクトに選局できるようにリモコンＩＤにより便宜を図っている。また、デジタル放送には、地域識別データが割り振られており、このデータによりどの地域で受信した番組か把握することが可能となっている。
【００２９】
図７は、再生指示変換情報１０７に記録されているデータで、リモコンＩＤと地域識別情報の対応関係の一覧を示している。ここで例に挙げているユーザは、東京の自宅に設置した録画再生装置２で録画された番組を再生することで中断番組の引継視聴することを想定している。図７の一覧情報から、図６の番組引継情報で、札幌で視聴したリモコンＩＤ３で示される番組は、東京ではリモコンＩＤ１に相当する番組であることが分かる。このように、再生指示情報変換部１０５の動作のステップＴ４は、図７に示すリモコンＩＤと地域識別情報の対応関係の一覧情報を再生指示変換情報として用いて、録画再生装置２の設置地域に対応するように、番組引継情報を再生指示情報に変換することである。
【００３０】
再生指示情報変換部１０５の動作のステップＴ４は、前述では録画再生機の設置地域に対応するように再生指示情報に変換する例を示したが、それに限らず、録画再生装置が受け付け可能な赤外線リモコンコマンドに対応するように、番組引継情報を再生指示情報に変換しても良い。具体的に言えば、指定された番組の番組検索、検索された番組の決定、決定された番組の放送開始から指定時間経過したポイントからの再生指示といった一連のリモコンコマンドに、番組引継情報を再生指示情報として変換することである。この場合は、再生指示変換情報としてインターネットを介して録画再生装置モデル別のコマンド一覧配信サーバ等から自宅設置の録画再生装置のモデルに合致するコマンド体系をユーザが指定することで取得した情報を用いても良い。
【００３１】
このような携帯型コンテンツ受信装置1とコンテンツ録画再生装置２を実施することにより、ユーザが携帯型コンテンツ受信装置1で視聴していた番組を視聴中断した時に、その中断情報をコンテンツ録画再生装置２に簡単に受け渡すことができるので、ユーザが録画再生装置２で中断ポイントから引継視聴をする際の、煩わしい操作や操作ストレスの軽減が可能となる。
【図面の簡単な説明】
【００３２】
【図１】本発明の実施に関連するシステム全体を説明するための図である。
【図２】本発明の実施の形態の携帯型コンテンツ受信装置とコンテンツ録画再生装置からなるコンテンツ視聴引継再生システムの構成を説明するためのブロック図である。
【図３】本発明の実施の形態の携帯型コンテンツ受信装置の番組引継設定動作を説明するためのフローチャートである。
【図４】本発明の実施の形態の携帯型コンテンツ受信装置のコンテンツ引継ぎ再生指示動作を説明するためのフローチャートである。
【図５】本発明の実施の形態のコンテンツ録画再生装置のコンテンツ引継ぎ再生を説明するためのフローチャートである。
【図６】視聴番組引継情報の一例を示す視聴番組と視聴中断情報の一覧表である。
【図７】再生指示変換情報の一例を示すチャンネルと地域識別情報の対応関係を示す一覧表である。
【図８】録画コンテンツ情報の一例を示す録画番組の一覧表である。
【符号の説明】
【００３３】
１  携帯型コンテンツ受信装置
１１  赤外線送信部
１０１  送受信部
１０２  番組引継情報設定部
１０３  放送受信部
１０４  制御部
１０５  再生指示情報変換部
１０６  映像処理部
１０７  再生指示変換情報記憶部
１０８  視聴番組引継再生情報記憶部
１０９  表示部
２  コンテンツ録画再生装置
２１  赤外線受信部
２０１  送受信部
２０２  入力部
２０３  放送受信部
２０４  制御部
２０５  番組比較検索部
２０６  映像処理部
２０７  録画番組記憶部
２０８  録画コンテンツ情報記憶部
３  情報配信サーバ
【図１】
0005137513.tif 000002
【図２】
0005137513.tif 000003
【図３】
0005137513.tif 000004
【図４】
0005137513.tif 000005
【図５】
0005137513.tif 000006
【図６】
0005137513.tif 000007
【図７】
0005137513.tif 000008
【図８】
0005137513.tif 000009